(57)【要約】【課題】  サーチ画像データを有効利用し、カセットテープ内にどのようなシーンが記録されているかが、好ましい形態で直ちにわかるような仕組みを提供する。【解決手段】  システムデータ読み出し回路１０７によりカセットテープ１０２から読み出された読み出しデータのタイムコードをチェックし、画像縮小回路１０９に対して現在のサーチ画像データを縮小し、インデックス画像データ領域１０５ｃに書き込むか否かの指示を出力する。その後、ＪＰＥＧエンコーダ１１１を起動し、インデックス画像データ領域１０５ｃのインデックス画像データをＪＰＥＧ圧縮し、更にヘッダ等の付随データを書き込んでインデックス画像ファイルを生成し、その生成されたインデックス画像ファイル及びプリント設定情報をプリンタ１１３に送信して印刷を実行する。インデックス画像ファイルの生成に当たっては、インデックス画像ファイルに含ませる画像数を選択しておく。【選択図】  図１
2006345073.tif 000002
【特許請求の範囲】
【請求項１】
記録媒体に主画像データとは別にサーチ画像データを記録及び再生することが可能な記録再生装置であって、
前記記録媒体に記録されたサーチ画像データを取り込むか否かを選択する選択手段と、
前記選択手段により選択されて取り込まれたサーチ画像データを用いてインデックス画像データを生成するインデックス画像データ生成手段と、
前記インデックス画像データに含ませる画像数を設定する画像数設定手段と、
を有することを特徴とする記録再生装置。
【請求項２】
前記選択手段は、前記画像数に到達するまで前記サーチ画像データの選択を実行することを特徴とする請求項１に記載の記録再生装置。
【請求項３】
前記選択手段により選択されたサーチ画像データの数が前記画像数を超えている場合に、前記画像数設定手段を介して前記画像数を再設定する画像数再設定手段を有することを特徴とする請求項１又は２に記載の記録再生装置。
【請求項４】
前記選択手段により選択されるサーチ画像データをユーザに決定させるユーザインタフェース手段を有することを特徴とする請求項１乃至３のいずれか１項に記載の記録再生装置。
【請求項５】
前記ユーザインタフェース手段は、前記選択手段により選択されたサーチ画像データの数が前記画像数を超えている場合に動作可能となることを特徴とする請求項４に記載の記録再生装置。
【請求項６】
前記インデックス画像データ生成手段により生成されたインデックス画像データを外部機器に送信するインデックス画像データ送信手段を有することを特徴とする請求項１乃至５のいずれか１項に記載の記録再生装置。
【請求項７】
前記インデックス画像データ送信手段はプリンタにインデックス画像データを送信することを特徴とする請求項６に記載の記録再生装置。
【請求項８】
前記プリンタにインデックス画像データを送信する際に、画面分割数、紙のサイズ、プリントサイズを含むプリンタ設定情報を合わせて送信するプリンタ設定情報送信手段を有することを特徴とする請求項７に記載の記録再生装置。
【請求項９】
前記インデックス画像データ生成手段は、画面分割数、紙のサイズ、プリントサイズを含むプリンタ設定情報に応じてインデックス画像データを生成することを特徴とする請求項１乃至８のいずれか１項に記載の記録再生装置。
【請求項１０】
前記画像数設定手段は、選択されたインデックス画像のレイアウトに応じて前記インデックス画像データに含ませる画像数を設定することを特徴とする請求項１乃至９のいずれか１項に記載の記録再生装置。
【請求項１１】
前記画像数設定手段は、前記主画像データの日時情報に応じて前記インデックス画像データに含ませる画像数を設定することを特徴とする請求項１乃至９のいずれか１項に記載の記録再生装置。
【請求項１２】
記録媒体に主画像データとは別にサーチ画像データを記録及び再生することが可能な記録再生装置を用いたインデックス画像生成方法であって、
前記記録媒体に記録されたサーチ画像データを取り込むか否かを選択する選択ステップと、
前記選択ステップにおいて選択して取り込んだサーチ画像データを用いてインデックス画像データを生成するインデックス画像データ生成ステップと、
前記インデックス画像データに含ませる画像数を設定する画像数設定ステップと、
を有することを特徴とするインデックス画像生成方法。
【請求項１３】
記録媒体に主画像データとは別にサーチ画像データを記録及び再生することが可能な記録再生装置をコンピュータに制御させるためのプログラムであって、
前記コンピュータに、
前記記録媒体に記録されたサーチ画像データを取り込むか否かを選択する選択手順と、
前記選択手順において選択して取り込んだサーチ画像データを用いてインデックス画像データを生成するインデックス画像データ生成手順と、
前記インデックス画像データに含ませる画像数を設定する画像数設定手順と、
を実行させることを特徴とするプログラム。
【発明の詳細な説明】
【技術分野】
【０００１】
本発明は、磁気テープ等の記録媒体に主画像データとは別にサーチ画像データを記録及び再生することが可能な記録再生装置、その記録再生装置を用いたインデックス画像生成方法及びプログラムに関する。
【背景技術】
【０００２】
ハイビジョン記録が可能なデジタルビデオカメラのように、近年、画像及び音声のデータをＭＰＥＧ（Moving Picture Experts Group）方式のような高度な圧縮方式を用いて記録/再生することが可能となってきている。その方式によれば、特に磁気テープにＭＰＥＧ方式を用いた高画質記録を行うデジタルＶＴＲ（Video Tape Recorder）では、通常再生以外の変速再生（サーチ再生）を行うために、通常再生用のデータとは別の領域にサーチ再生のための専用データ（サーチ画像データ）を記録する方式が既に提案されている（例えば、特許文献１、２参照）。これらの方式では、通常速度の８倍もしくは２４倍といった高速サーチにて、前記サーチ画像データを読み出し表示することが可能である。
【０００３】
これらの提案によれば、８倍速再生用のサーチ画像データは、Ｉピクチャ、Ｐピクチャ、Ｂピクチャにて構成される１５フレームからなる１ＧＯＰ（Group Of Picture）に対して１枚の画像を、テープ上１５０トラック（１５フレーム分のテープ長）に渡って分散的に記録する。また、２４倍速再生用のサーチ画像データは、テープ上４ＧＯＰに対して１枚の画像を、テープ上６００トラック（６０フレーム＝４ＧＯＰ分のテープ長）に渡って分散的に記録する。トラック上の記録位置は、８倍もしくは２４倍の速度でテープを搬送した場合に、テープからのデータを読み込むための磁気ヘッドがトレースする軌跡に沿ったSync Block位置となっている。
【０００４】
図１０はサーチ画像データのトラック上の領域配置を示す図である。８倍速のサーチ画像データは、１６トラックごとに１組のデータが書き込まれており、同図に示すように正/逆８倍の速度でテープを搬送した場合に、（−）アジマスの磁気ヘッドがトラックパターンをトレースする軌跡（傾き）に沿った位置にデータ記録領域が設けられている。従って、８倍速モードでも全てのサーチ画像データを読み出すことが可能である。
【０００５】
図１１を参照して、サーチ画像データを読み出して表示するためのサーチ画像データ再生回路について説明する。１７０１はカセットテープである。１７０２は磁気ヘッドから再生された再生データを増幅する再生アンプである。１７０３は再生アンプ１７０２により増幅された再生データをデジタル信号に変換するＡ/Ｄ変換器である。
【０００６】
１７０４はＡ/Ｄ変換器１７０３から出力されたデジタルデータが書き込まれるＳＤＲＡＭであり、１７０４ａはＳＤＲＡＭ１７０４上に設けられた読み出しデータ領域、１７０４ｂはサーチ画像データ領域である。
【０００７】
１７０５は読み出しデータのエラーを訂正するエラー訂正回路である。１７０６は読み出しデータの中からサーチ画像データを取り込み、ＳＤＲＡＭ１７０４上のサーチ画データ領域１７０４ｂに、図１２に示すような画面形式に応じた構成で書き込むサーチ画像生成回路である。１７０７はサーチ画像データ領域１７０４ｂに記録されたサーチ画像データを取り出してアナログ信号に変換し、モニタに出力するＤ/Ａ変換器である。
【０００８】
高速サーチモードにおいては、磁気テープから読み出されたサーチ画像データを前述したようなサーチ画像データ再生回路にて再生することで、８倍速であれば１５フレーム/８（時間）≒０．０６[秒]に１画面程度の更新速度で、連続的にサーチ画像を表示することが可能である。
【０００９】
このようなサーチ画像の画面構成についてはこれまでもいくつかの提案がなされているが、図１２を参照して、輝度データの有効画素が水平×垂直で１４４０×１０８０、色差データの有効画素が水平×垂直で７２０×５４０となる再生画像を、サーチ画像データへと形式変換する場合について説明する。この例では、前述した分解能の画像データを、水平９０×垂直６８マクロブロック（ＭＢ）の画像データに変換する。この場合の１ＭＢの構成は、８画素×８画素の輝度ブロックを水平/垂直方向に２個ずつ並べた輝度情報と、そのブロックに対応した８画素×８画素の色差情報（Ｃｒ及びＣｂ）とを組み合わせたものとなっている。これらの情報を通常画像情報より圧縮して短いデータ長に変換することで、図１０にて説明したような比較的狭いサーチ画像データ領域に記録することが可能となる（特許文献１参照）。
【００１０】
【特許文献１】特開２００２−２０９１７９号公報
【特許文献２】特開２００２−３１４９４１号公報
【発明の開示】
【発明が解決しようとする課題】
【００１１】
しかしながら、上述したこれまでの提案においては、サーチ画像データは単に磁気テープを高速で搬送しながら再生する高速サーチ再生に用いられること以外には、有効的な活用方法がなかった。
【００１２】
また、カセットテープ内にどのようなシーンが記録されているかを直ちに知るための有効的な手段はなかった。
【００１３】
本発明は、上記のような点に鑑みてなされたものであり、サーチ画像データを有効利用し、カセットテープ内にどのようなシーンが記録されているかが直ちにわかるような仕組みを提供することを目的とする。より詳しくは、簡単な操作を行うだけでカセットテープ等の記録媒体内の代表的なシーン（画像）を自動的に選択し、ユーザが望むようなインデックス画像を生成し、例えば記録再生装置に直接接続されたプリンタにてダイレクトプリントする仕組みを提供するものである。
【課題を解決するための手段】
【００１４】
インデックス画像を生成する方法の一つとして、テープ上に記録されたハイビジョン映像のサーチ画像データの特性を利用し、高速サーチモードにてテープを走行させながら前記サーチ画像をインデックス画面として取り込んでインデックス画像を生成するという方法が考えられる。即ち、予め設定されたインデックス画像の分割数によってインデックス画面に取り込むためのテープの位置を決定する。
【００１５】
しかしながら、このようなインデックス画像生成方法では、事前に設定されたインデックス画像の分割数によって取り込まれる画像の数が制限されてしまうために、必ずしもユーザにとって好ましいインデックス画面が生成されないことがある。また、生成されたインデックス画像がユーザにとって好ましい画像でなかった場合に、その画像を作り直すこともできない。
【００１６】
そこで、ユーザが簡単な操作を行うだけでユーザにとってより最適なインデックス画像を生成し、記録再生装置に直接接続されたプリンタにてダイレクトプリントする仕組みを提供すべく、本願発明者が鋭意検討を重ねた結果、以下に示す発明の諸態様に想到した。
【００１７】
本願発明に係る記録再生装置は、記録媒体に主画像データとは別にサーチ画像データを記録及び再生することが可能な記録再生装置において、前記記録媒体に記録されたサーチ画像データを取り込むか否かを選択する選択手段と、前記選択手段により選択されて取り込まれたサーチ画像データを用いてインデックス画像データを生成するインデックス画像データ生成手段と、前記インデックス画像データに含ませる画像数を設定する画像数設定手段と、を有することを特徴とする。
【００１８】
本発明に係るインデックス画像生成方法は、記録媒体に主画像データとは別にサーチ画像データを記録及び再生することが可能な記録再生装置を用いたインデックス画像生成方法であって、前記記録媒体に記録されたサーチ画像データを取り込むか否かを選択する選択ステップと、前記選択ステップにおいて選択して取り込んだサーチ画像データを用いてインデックス画像データを生成するインデックス画像データ生成ステップと、前記インデックス画像データに含ませる画像数を設定する画像数設定ステップと、を有することを特徴とする。
【００１９】
本発明に係るプログラムは、記録媒体に主画像データとは別にサーチ画像データを記録及び再生することが可能な記録再生装置をコンピュータに制御させるためのプログラムであって、前記コンピュータに、前記記録媒体に記録されたサーチ画像データを取り込むか否かを選択する選択手順と、前記選択手順において選択して取り込んだサーチ画像データを用いてインデックス画像データを生成するインデックス画像データ生成手順と、前記インデックス画像データに含ませる画像数を設定する画像数設定手順と、を実行させることを特徴とする。
【発明の効果】
【００２０】
本発明によれば、インデックス画像データに含ませる画像数を設定することができるため、ユーザが簡単な操作を行うだけで、ユーザにとってより好ましい形態のインデックス画像を生成することができる。また、外部機器にインデックス画像を送信するインデックス画像データ送信手段を設ければ、その画像を記録再生装置に直接接続されたプリンタにてダイレクトプリントすることも可能となる。
【発明を実施するための最良の形態】
【００２１】
以下、添付図面を参照して、本発明の好適な実施形態について説明する。本実施形態では、本発明を磁気テープに映像データ及び音声データをデジタル的に記録するデジタルビデオカメラに適用した例を説明する。
【００２２】
（第１の実施形態）
先ず、本発明の第１の実施形態について説明する。図１は本発明の第１の実施形態のデジタルビデオカメラの主要部の構成を示すブロック図である。１０１は磁気ヘッドを含むメカデッキである。１０２はメカデッキ１０１に装着され、図１０に示したような形式でサーチ画像データが記録されたカセットテープである。１０３はメカデッキ１０１の磁気ヘッドから再生された再生データを増幅する再生アンプである。１０４は再生アンプ１０３により増幅された再生データをデジタル信号に変換するＡ/Ｄ変換器である。
【００２３】
１０５はＳＤＲＡＭであり、Ａ/Ｄ変換器１０４から出力されたデジタルデータ（読み出しデータ）を書き込む読み出しデータ領域１０５ａ、サーチ画像データを書き込むサーチ画像データ領域１０５ｂが設けられている。
【００２４】
１０６は読み出しデータ領域１０５ａに書き込まれた読み出しデータのエラーを訂正するエラー訂正回路である。１０７は読み出しデータ領域１０５ａに書き込まれた読み出しデータからタイムコードや日付情報を読み出すためのシステムデータ読み出し回路である。
【００２５】
１０８はカセットテープ１０２から読み出された読み出しデータの中からサーチ画像データを取り込み、ＳＤＲＡＭ１０５上のサーチ画像データ領域１０５ｂに、図１２に示したような画面形式に応じた構成で書き込むサーチ画像生成回路である。１０９はサーチ画像データを縮小して、ＳＤＲＡＭ１０５上のインデックス画像生成領域１０５ｃの指定されたアドレスに書き込む画像縮小回路である。
【００２６】
１１０はインデックス画像生成領域１０５ｃのインデックス画像データをモニタ出力するためのＤ/Ａ変換器である。１１１はインデックス画像生成領域１０５ｃのインデックス画像データをＪＰＥＧ圧縮し、ＳＤＲＡＭ１０５上にインデックス画像ファイル領域１０５ｄにインデックス画像ファイルを生成するＪＰＥＧエンコーダである。
【００２７】
１１２は外部機器としてのプリンタ１１３とＵＳＢ接続を行うためのＵＳＢインタフェース回路である。
【００２８】
１１４はマイクロコンピュータ（マイコン）であり、各部の制御を行う。まず、マイコン１１４はキー入力手段１１５を介してユーザからのキー入力を受け、インデックス画像生成モード等に移行させる。インデックス画像生成モードにおいては、メカデッキ１０１の制御を行い、カセットテープ１０２を高速で搬送させる。また、システムデータ読み出し回路１０７によりカセットテープ１０２から読み出された読み出しデータのタイムコードをチェックし、現在再生されているサーチ画像データをインデックスプリント用に取り込むか否か、すなわち、画像縮小回路１０９に対して現在のサーチ画像データを縮小し、インデックス画像生成領域１０５ｃに書き込むか否かの指示を出力する。サーチ画像データをインデックスプリント用に取り込む場合は、インデックス画像内で何枚目の画像かに応じたアドレスを発生して画像縮小回路１０９に渡す。また、インデックス画像生成モードが終了した時点でＪＰＥＧエンコーダ１１１を起動し、インデックス画像生成領域１０５ｃのインデックス画像データをＪＰＥＧ圧縮し、更にヘッダ等の付随データを書き込んでインデックス画像ファイル領域１０５ｄにインデックス画像ファイルを生成する。
【００２９】
また、ユーザからのキー入力によりプリント設定情報を設定する「プリント設定ＵＩ」機能を備え（プリント設定情報入力手段１１６）、プリント実行時には、ＵＳＢインタフェース１１２を制御することで、インデックス画像ファイル領域１０５ｄに生成されたインデックス画像ファイル及び「プリント設定ＵＩ」により設定されたプリント設定情報をプリンタ１１３に送信して印刷を実行する。
【００３０】
ここで、プリント設定情報入力手段１１６について説明する。図３は、「プリント設定ＵＩ」であるプリント設定画面の一例を示す図である。プリント設定画面は、デジタルビデオカメラが出力するグラフィックを利用した設定画面であり、ユーザがキー入力手段１１５により操作することが可能である。３０１はレイアウト設定ボタンであり、インデックス画面の分割数を９、１６、２０の中から選択することができる。３０２は用紙サイズ設定ボタンであり、プリントするための用紙サイズをＬ判、２Ｌ判のいずれかに設定することができる。３０３は印刷枚数設定ボタンであり、プリントする枚数を設定することができる。このプリント設定画面により設定された情報はプリント設定情報として記録され、プリント実行時にＵＳＢインタフェース１１２を介してプリンタ１１３に送信される。また、詳細は後述するが、カメラ本体でインデックス画像印刷データを生成する場合に参照されることもある。
【００３１】
次に、図２のフローチャートを参照して、第１の実施形態のデジタルビデオカメラでの処理動作について説明する。ユーザからのキー操作によりインデックスプリントが開始されると、マイコン１１４は、まずカセットテープ１０２をテープ記録終了位置まで早送りする（ステップＳ２０１）。続いて、テープ記録終了位置のタイムコード値を取り込み（ステップＳ２０２）、そのタイムコード値をユーザにより設定されたインデックス画面の分割数で割り算する（ステップＳ２０３）。その値（Ｘ）が、インデックス画面にサーチ画像を取り込む際の取り込み間隔となる。
【００３２】
その後、逆方向サーチを開始し（ステップＳ２０４）、タイムコード値を取り込みながらタイムコードが（Ｘ）だけ巻き戻ったことをチェックして（ステップＳ２０５）、タイムコードが（Ｘ）だけ巻き戻った部分のサーチ画像をインデックス画面に取り込む（ステップＳ２０６）。インデックス画面の分割数だけサーチ画像の取り込みを行ったかどうかのチェックを行い（ステップＳ２０７）、分割数以下だった場合には再度ステップＳ２０５のタイムコードのチェック手順に戻る。
【００３３】
インデックス画面の分割数だけサーチ画像の取り込みが行われた場合には、サーチ動作を停止し（ステップＳ２０８）、ここまでの手順にて生成されたインデックス画像データをＪＰＥＧ圧縮し（ステップＳ２０９）、ＳＤＲＡＭ１０５上のインデックス画像ファイル領域１０５ｄにインデックス画像ファイルを生成する。
【００３４】
そして、プリント設定情報とともに、インデックス画像ファイル領域１０５ｄに生成されたインデックス画像ファイルをＵＳＢインタフェース回路１１２を介してプリンタ１１３に出力することでインデックス画像プリントを実行する（ステップＳ２１０、Ｓ２１１）。
【００３５】
このような第１の実施形態によれば、サーチ画像データを用いてインデックス画像データを生成するようにしたので、例えばインデックス画像データを外部機器であるプリンタでダイレクトプリントすることができ、サーチ画像データを有効利用し、カセットテープ内にどのようなシーンが記録されているかが直ちにわかる。
【００３６】
（第２の実施形態）
次に、本発明の第２の実施形態について説明する。図４は本発明の第２の実施形態のデジタルビデオカメラの主要部の構成を示すブロック図である。なお、図１に示したものと同様の構成要素には同一の符号を付すとともに、その詳細な説明は省略する。
【００３７】
１０５ｅはＳＤＲＡＭ１０５上に設けられたインデックス画像データ取り込み領域であり、システムデータを利用して、画像縮小回路１０９により縮小されたサーチ画像データが書き込まれる。１１７は画像処理回路であり、インデックス画像データ取り込み領域１０５ｅのインデックス画像データに対してプリント設定情報に応じた画像処理を行い、印刷用インデックス画像データとしてＳＤＲＡＭ１０５上の印刷用インデックス画像生成領域１０５ｆに書き込む。このようにして完成した印刷用インデックス画像データは、マイコン１１４の制御下でＵＳＢインタフェース１１２を介してプリンタ１１３に送信されて印刷が実行される。
【００３８】
次に、図５のフローチャートを参照して、第２の実施形態のデジタルビデオカメラでの処理動作について説明する。ユーザからのキー操作によりインデックスプリントが開始されると、マイコン１１４は、まずカセットテープ１０２をテープ始端まで巻き戻す（ステップＳ５０１）。続いて、正方向サーチを開始し（ステップＳ５０２）、サーチ画像をインデックス画面に取り込む（ステップＳ５０３）。その際、マイコン１１４はシステムデータ読み出し回路１０７により読み出された日時情報を記録しておき（ステップＳ５０４）、サーチ動作を継続させながら日付が変化したかどうかのチェックを行う（ステップＳ５０５）。
【００３９】
日付が変化したことを検出した場合には、ステップＳ５０３からの手順を繰り返す。日付が変化したことが検出されなかった場合には、カセットテープ１０２が終端まで走行したか否かのチェックを行い（ステップＳ５０６）、終端まで走行するまでステップＳ５０５の手順から繰り返し、テープ終端を検出したならばサーチ動作を停止する（ステップＳ５０７）。
【００４０】
ここまでの手順にてインデックス画像データの生成は終了しているので、インデックス画像データをＪＰＥＧ圧縮し（ステップＳ５０８）、画像処理してＳＤＲＡＭ１０５上に印刷用インデックス画像データを生成する。
【００４１】
そして、プリント設定情報とともに、生成された印刷用インデックス画像データをＵＳＢインタフェース１１２を介してプリンタ１１３に出力することでインデックス画像プリントを実行する（ステップＳ５０９、Ｓ５１０）。
【００４２】
なお、ステップＳ５０５における日付のチェック処理を、記録シーンが変化したことを表すシステムデータである"RecStartフラグ"のチェックに置き換えたり、日付及び"RecStartフラグ"を併用したりすることも可能である。"RecStartフラグ"は、記録開始時に一定期間テープの所定の位置に書き込まれることで、シーンの開始を表すものである。
【００４３】
また、図２で説明したインデックスプリント処理と、図５で説明したインデックスプリント処理とを組み合わせて用いても構わない。
【００４４】
このような第２の実施形態によっても、第１の実施形態と同様の効果が得られる。
【００４５】
（第３の実施形態）
次に、本発明の第３の実施形態について説明する。本実施形態では、第１及び第２の実施形態における不具合を解消すべく、テープ上に記録されたシステムデータを利用してインデックス画像に取り込む画像の候補を機器が自動的に選択した後に、必要に応じてインデックス画像に取り込む画像をユーザが選択することが可能なシステムとなっている。図６は本発明の第３の実施形態のデジタルビデオカメラの主要部の構成を示すブロック図である。
【００４６】
１１８はサーチ画像データ領域１０５ｂからサーチ画像データを取り込み、取り込み画像記憶領域１０５ｇ及びモニタ出力画像領域１０５ｈに書き込むための画像書き込み回路である。取り込み画像記憶領域１０５ｇの構成については後述する。また、モニタ出力画像領域１０５ｈは、取り込まれた画像データが書き込まれることに加えて、マイコン１１４がグラフィックや文字列を書き込むことで、図８に示すような画面を構成している。１０５ｉは取り込み画像記憶領域から取り出されたサーチ画像を順に並べてインデックス印刷画像を生成するためのプリント画像領域であり、本実施形態では、ＪＰＥＧエンコーダ１１１はプリント画像領域１０５ｉの画像を圧縮処理する。また、インデックス画像ファイル領域１０５ｄにはＪＰＥＧエンコーダ１１１により圧縮された画像、及びマイコン１１４により付加されたヘッダ情報等が書き込まれる。そして、ここに生成されたインデックス画像ファイルがＵＳＢインタフェース回路１１２を通じてプリンタ１１３に出力されることで、インデックス画像が印刷される。
【００４７】
次に、図７のフローチャートを参照して、本実施形態におけるインデックス印刷の手順について説明する。本手順はマイコン１１４により実行されるものであるが、本フローチャートの動作が開始される以前には、図３に示すようなプリント設定画面により、ユーザが画面の分割数等の印刷設定を行っているものとする。
【００４８】
インデックスプリントが実行されると、まず図８の印刷画面の表示を行う（ステップＳ）。８０１はインデックス画面プレビュー画面であり、後述するフローチャートに従って機器が自動的に取り込んだサーチ画像が順番に表示され、今後印刷される画像が事前に確認できるようになっている。８０２はカーソルで、ユーザ操作によりその位置を変更し、様々な操作ができるようになっている。８０３は印刷状況確認ウィンドウで、インデックス印刷の進行状況、現在の状態等を表示する。８０４はサーチ画像表示ウィンドウで、テープから再生されているサーチ画像及びタイムコード値をリアルタイムで表示する。８０５は印刷設定確認画面であり、レイアウト、用紙設定、印刷枚数等の情報を表示する。８０６は操作ボタンであり、これらのボタンを操作することでインデックス印刷に関する操作を行うことが可能である。例えば「停止」にカーソルを合わせて確定キーを押下すれば、インデックス印刷の動作を終了することができる。また、「印刷」にカーソルを合わせて確定キーを押下すれば、その時点でインデックス印刷を実行することが可能である。更に、「設定」にカーソルを合わせて確定キーを押下すれば、図３のプリント設定画面に切り換わり、画面分割数等の変更ができる。また、取り込まれた画像の中から不必要な画像を削除する場合には、削除したい画像にカーソルを合わせて確定し、その後「削除」ボタンにカーソルを移動させて確定キーを押下すればよい。この操作は、例えば、分割数よりも取り込み枚数の方が多くなってしまった場合に、用いられるものである。
【００４９】
印刷画面の表示を行った後に、マイコン１１４は、メカデッキ１０１を起動し、カセットテープ１０２をテープ始端まで巻き戻す（ステップＳ７０２）。続いて、正方向サーチを開始し（ステップＳ７０３）、直後にインデックス画像の最初の取り込みを行う（ステップＳ７０４）。この動作は、マイコン１１４が画像書き込み回路１１８を制御することにより、画像書き込み回路１１８が取り込み画像記憶領域１０５ｇ及びモニタ出力画像領域１０５ｈの両方に画像データを書き込むことで実現される。そして、マイコン１１４は、システムデータ読み出し回路１０７により読み込まれた、該取り込んだ画像の日付データを記憶する（ステップＳ７０５）。
【００５０】
その後、既に設定されている画面の分割数と取り込み枚数の比較を行い（ステップＳ７０６）、分割数の方が多かった場合には、日付が変わったかのチェックを行う（ステップＳ７１１）。この間、サーチ動作及び日付データの読み込みは継続している。日付が変化していない場合には、テープが終了しているか否かのチェックを行い（ステップＳ７１２）、終了していなかった場合には、再びステップＳ７１１に戻り、日付データのチェックを行う。ステップＳ７１１にて日付が変化していることを検出した場合には、ステップＳ７０４に戻って、変化した直後のサーチ画像の取り込んだ後、その時の日付データの記憶を行う（ステップＳ７０５）。
【００５１】
ステップＳ７０６にて取り込み枚数の方が多かった場合には、サーチ動作を一時停止させ（ステップＳ７０７）、インデックス画面に取り込まれた画像から必要のない画像をユーザが削除する操作（ユーザ操作と内部的な削除動作は説明済み）を受け付ける（ステップＳ７０８）。そして、マイコン１１４はステップＳ７０９にて画像が削除されるまで待機し、削除が実行された後に再びテープ走行及びサーチ動作を再開し（ステップＳ７１０）、ステップＳ７１１からの手順を繰り返す。なお、ステップＳ７０６にて取り込み枚数の方が多かった場合に、必要のない画像を削除するのではなく、画面分割数を再設定するようにしてもよい。再設定のためには、例えば、図３の画面を再表示し、レイアウト設定ボタン３０１を用いてユーザに変更させればよい。
【００５２】
ステップＳ７１２にてテープの終端まで走行したことが検出された場合には、サーチ動作を停止する（ステップＳ７１３）。その後、インデックス画面をＪＰＥＧ圧縮し（ステップＳ７１４）、サイズや枚数等のプリント設定情報と共に、ＪＰＥＧ圧縮されたインデックス画像をＵＳＢインタフェース回路１１２を介してプリンタ１１３に出力することでインデックス画像プリントを実行する（ステップＳ７１５、Ｓ７１６）。
【００５３】
なお、ステップＳ７１１における日付のチェック処理を、記録シーンが変化したことを表すシステムデータである"RecStartフラグ"のチェックに置き換えたり、日付及び"RecStartフラグ"を併用したりすることも可能である。
【００５４】
このような第３の実施形態では、マイコン１１４は、前述したような操作により、インデックス取り込みされた画像をユーザが削除した場合には、取り込み画像記憶領域１０５ｇの中から一旦取り込んだ画像データを削除することで、その領域を開放する。また、同時に、モニタ出力画像領域１０５ｈからも対応する画像データを削除する。このため、図８の印刷画面からもその画像が消えることとなる。従って、ユーザにとっては、インデックス画像を容易に作り直すことが可能となり、好ましいインデックス画像を得ることができる。
【００５５】
なお、取り込み画像記憶領域１０５ｇのデータフォーマットは図９のようになっている。すなわち、サーチ画像データと、その画像はインデックス画面の何番目のデータであるかが記入されているインデックス番号が対となった構成となっている。一旦取り込まれた画像がユーザにより消去された場合には、取り込み画像記憶領域１０５ｇから対応する画像データ及びインデックス番号が消去される。それと共に、インデックス画面内で順番が変わる画像データについてはそのインデックス番号が更新され、モニタ出力画像領域１０５ｈ内のインデックス画像が、更新されたインデックス番号に従って再描画される。また、最終的に印刷画像を生成する場合にも、このインデックス番号の順番で画像を配置することとなる。
【００５６】
なお、ここまで説明したようなインデックス印刷の方法及び手順は、サーチ専用画像を持たないような記録フォーマットにも適用することが可能である。また、テープ以外の記録媒体に適用することも可能である。
【００５７】
また、本発明の目的は、上述した実施形態の機能を実現するソフトウェアのプログラムコードを記録した記録媒体を、システム或いは装置に供給し、そのシステム或いは装置のコンピュータ（又はＣＰＵやＭＰＵ）が記録媒体に格納されたプログラムコードを読み出し実行することによっても、達成されることは言うまでもない。
【００５８】
この場合、記録媒体から読み出されたプログラムコード自体が上述した実施形態の機能を実現することになり、プログラムコード自体及びそのプログラムコードを記録した記録媒体は本発明を構成することになる。
【００５９】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００６０】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)等が実際の処理の一部又は全部を行い、その処理によって上述した実施形態の機能が実現される場合も含まれることは言うまでもない。
【００６１】
更に、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００６２】
【図１】本発明の第１の実施形態のデジタルビデオカメラの主要部の構成を示すブロック図である。
【図２】本発明の第１の実施形態のデジタルビデオカメラでの処理動作について説明するフローチャートである。
【図３】プリント設定画面の一例を示す図である。
【図４】本発明の第２の実施形態のデジタルビデオカメラの主要部の構成を示すブロック図である。
【図５】本発明の第２の実施形態のデジタルビデオカメラでの処理動作について説明するフローチャートである。
【図６】本発明の第３の実施形態のデジタルビデオカメラの主要部の構成を示すブロック図である。
【図７】本発明の第３の実施形態のデジタルビデオカメラでの処理動作について説明するフローチャートである。
【図８】インデックスプリント実行画面の例を示す図である。
【図９】取り込み画像記憶領域１０５ｇのデータフォーマットを示す図である。
【図１０】サーチ画像データのトラック上の領域配置を示す図である。
【図１１】サーチ画像データ再生回路の構成を示す図である。
【図１２】サーチ画像データの画面構成例を示す図である。
【符号の説明】
【００６３】
１０１    メカデッキ
１０２    カセットテープ
１０３    再生アンプ
１０４    Ａ/Ｄ変換器
１０５    ＳＤＲＡＭ
１０６    エラー訂正回路
１０７    システムデータ読み出し回路
１０８    サーチ画像生成回路
１０９    画像縮小回路
１１０    Ｄ/Ａ変換器
１１１    ＪＰＥＧエンコーダ
１１２    ＵＳＢインタフェース回路
１１３    プリンタ
１１４    マイクロコンピュータ
１１５    キー入力手段
１１６    プリント設定情報入力手段
１１７    画像処理回路
１１８    画像書き込み回路
【図１】
2006345073.tif 000003
【図２】
2006345073.tif 000004
【図３】
2006345073.tif 000005
【図４】
2006345073.tif 000006
【図５】
2006345073.tif 000007
【図６】
2006345073.tif 000008
【図７】
2006345073.tif 000009
【図８】
2006345073.tif 000010
【図９】
2006345073.tif 000011
【図１０】
2006345073.tif 000012
【図１１】
2006345073.tif 000013
【図１２】
2006345073.tif 000014